(57)【特許請求の範囲】
【請求項１】
整地及び整正した路床の上に敷設される樹皮の細片とクラッシャーラン４０〜０とを混合した混合物と、該混合物上面の隙間を埋め、かつ該混合物の上層をなす砕石スクリーニングスの薄い層と、該砕石スクリーニングスの層の表面に散布される湿潤安定剤とからなり、
前記樹皮の細片は、１００mm以下に粉砕又は裁断したスギ、ヒノキ又はヒノキのいずれか、又はそれらの混合であること、
及び前記クラッシャーランと樹皮との体積比は、クラッシャーランが１００に対し、樹皮が３０〜４０であること、
を特徴とする人工芝下地用路盤。
【請求項２】
整地及び整正した路床の上に、樹皮の細片とクラッシャーラン４０〜０とを混合した混合物を敷設して転圧及び整正した後、該混合物上面に砕石スクリーニングスを敷き込みして再度転圧し、該混合物の上面の隙間を埋めるとともに該混合物の上面に薄い層を形成し、該砕石スクリーニングス層の表面に湿潤安定剤を散布する工程からなり、
前記樹皮の細片は、１００mm以下に粉砕又は裁断したスギ、ヒノキ又はヒノキのいずれか、又はそれらの混合であること、
及び前記クラッシャーランと樹皮との体積比は、クラッシャーランが１００に対し、樹皮が３０〜４０であること、
を特徴とする人口芝下地用路盤の造成方法。
【発明の詳細な説明】
【技術分野】
【０００１】
本発明は、運動場に敷設する人工芝の下地用路盤及びその造成方法に関するものである。
【背景技術】
【０００２】
近年、スポーツのグラウンドや校庭等への人工芝の普及が進んでいる。これらの人工芝を敷設するにあたっては、安定した下地が必要となり、多くの場合、人工芝の下地用路盤として安定性や平滑性に優れたアスファルトコンクリート舗装が採用されている。
【０００３】
しかしながら、アスファルト舗装は硬く、特にラグビーやサッカーに代表されるスポーツでは運動に転倒が伴い、グラウンド面の硬さが選手プレーヤーに大きな衝撃ダメージを与える場合がある。また、アスファルト舗装を行うための必要な断面の確保のため、既存グラウンド面の土壌を漉き取り場外へ処分する等が必要となる。
【０００４】
このため、運動に対する衝撃吸収性を向上させ、発生土等を少なく抑え、環境へ配慮した人工芝下地への要請が高まっている。
【０００５】
一方で、アスファルト舗装をせず、例えば駐車場のような砕石を敷き込んだ路面を人工芝の下地とする施工方法もあるが、この方法においては、経年とともに平滑性が失われ、また水溜りなどが生じ、排水性が低下する。これは、浸水や内部の流水等により砕石間に詰め込まれた微細な砕石が移動することによって空隙が発生し、そこへ踏圧等の力が加わるためである。従って、このように砕石舗装のみで構成された路盤は、精度の高いものとはいえず、人工芝の下地路盤としては満足できるものではない。
【発明の開示】
【発明が解決しようとする課題】
【０００６】
本発明は上記した従来技術の欠点に鑑みなされたものであって、アスファルトを用いることなく、しかも、平滑で柔らかく、安定性を持続し、かつ水はけの良い安価な下地路盤を造成することを目的とするものである。
【０００７】
すなわち、本発明の第１の目的は、人工芝のグラウンドでプレーする選手にダメージを与えることなく、安心して競技ができる衝撃吸収力の高い人工芝下地用路盤を提供することにある。
【０００８】
また、本発明の第２の目的は、アスファルトを用いることなく、砕石を主体としながらも、平滑な人工芝下地用路盤を提供することにある。平滑な仕上げは、勾配の確保とも関連し、主にスポーツ施設の人工芝仕上げには欠かすことの出来ない条件である。
【０００９】
さらに、本発明の第３の目的は、「水はけ」の良い人口芝下地路盤を提供することにある。ここにおける「水はけ」の第一点は精度の高い水勾配による表面排水であり、第二点として高い吸水性による浸透排水である。
【００１０】
さらにまた、本発明の第４の目的は、人工芝上における様々な力学的衝撃に耐える強度を有する人工芝下地用路盤を提供することにある。運動はもとより人工芝生のメンテナンスに必要な小型自走機械の走行にも耐えなければならない。
【００１１】
さらにまた、本発明の第５の目的は安価な価格で造成できる人工芝下地用路盤を提供することにある。全国どの地域にあっても入手可能な材料である砕石を主要構成材料とし、その特性を維持しながら人工芝の下地用路盤を「安定した路盤」にする。
【課題を解決するための手段】
【００１２】
上記課題を解決するため、本発明に係る人工芝下地用路盤の第１の特徴は、整地及び整正した路床の上に敷設される樹皮の細片と砕石とを混合した混合物と、該混合物の上層をなす砕石ダスト又は砕石スクリーニングス若しくは石灰岩ダストとからなることにある。
【００１３】
また、本発明に係る人工芝下地用路盤の第２の特徴は、整地及び整正した路床の上に敷設される樹皮の細片と砕石、特にクラッシャーラン４０〜０とを混合した混合物と、該混合物上面の隙間を埋め、かつ該混合物の上層をなす砕石ダスト又は砕石スクリーニングス若しくは石灰岩ダストの薄い層と、該砕石ダスト又は砕石スクリーニングス若しくは石灰岩ダストの層の表面に散布される湿潤安定材とからなることにある。
【００１４】
さらに、本発明に係る人工芝下地用路盤の第３の特徴は、前記第１又は２の特徴における人工芝下地用路盤において、前記樹皮の細片が、スギ、ヒノキ又はヒバのうちのいずれか又は双方を粉砕又は裁断したものからなることにある。
【００１５】
さらにまた、本発明に係る人工芝下地用路盤の第４の特徴は、前記第１から第３までのいずれか一の特徴における人工芝下地用路盤において、前記樹皮の細片が、繊維状の形態で長さ１ｍｍ以上１００ｍｍ以下であることにある。
【００１６】
また、本発明に係る人工芝下地用路盤の第５の特徴は、前記第１から第４までのいずれか一の特徴における人工芝下地用路盤において、前記混合物の砕石と樹皮との体積比が、砕石１００に対し、樹皮３０〜４０であることにある。
【００１７】
次に、本発明に係る人工芝下地用路盤の造成方法の第１の特徴は、整地及び整正した路床の上に、樹皮の細片と砕石とを混合した混合物を敷設して転圧及び整正した後、該混合物の上面に砕石ダスト又は砕石スクリーニングス若しくは石灰岩ダストを敷き込みして再度転圧するにある。
【００１８】
また、本発明に係る人工芝下地用路盤の造成方法の第２の特徴は、整地及び整正した路床の上に、樹皮の細片と砕石、特にクラッシャーラン４０〜０とを混合した混合物を敷設して転圧及び整正した後、該混合物上面に砕石ダスト又は砕石スクリーニングス若しくは石灰岩ダストを敷き込みして再度転圧し、該混合物の上面の隙間を埋めるとともに該混合物の上面に薄い層を形成し、その層の表面に湿潤安定材を散布することにある。
【００１９】
さらにまた、本発明に係る人工芝下地用路盤の造成方法の第３の特徴は、第１又は第２の特徴における人工芝下地用路盤の造成方法において、前記樹皮の細片が、スギ、ヒノキ又はヒバのうちのいずれか又は双方を粉砕又は裁断したものからなることにある。
【００２０】
また、本発明に係る人工芝下地用路盤の造成方法の第４の特徴は、第１から第３までのいずれかの一の特徴における人工芝下地用路盤の造成方法において、前記樹皮の細片が、繊維状の形態であって、長さ１ｍｍ以上１００ｍｍ以下に粉砕又は裁断したことにある。
【００２１】
さらに、本発明に係る人工芝下地用路盤の造成方法の第５の特徴は、第１から第４までのいずれかの一の特徴における人工芝下地用路盤の造成方法において、前記混合物が、砕石と樹皮との体積比において、砕石１００に対し、樹皮３０〜４０で混合したことにある。
【発明の効果】
【００２２】
本発明によれば、人工芝のグラウンドでプレーする選手に対する衝撃を軽減することができるととともに、安価で安定し、しかも平滑性、水はけ、耐久力を有する人工芝の下地路盤を作ることが可能となる。
【発明を実施するための最良の形態】
【００２３】
以下、本発明の実施例を図面を参照しながら説明してゆく。
【実施例１】
【００２４】
実施例１は、本発明に係る人工芝下地用路盤に係るものであり、図１は、その説明のための層の断面図であり、このうちＡが人工芝下地用路盤である。Ｂは前記下地用路盤Ａの下層をなす整地・整正された路床、Ｃは前記下地用路盤Ａの上部に敷設される人工芝である。
【００２５】
人工芝下地用路盤Ａは、砕石２と針葉樹皮の細片３とを混合した混合物１を主材料として構成されている。砕石２は、特にその種類は問わないが、クラッシャーラン４０〜０（Ｃ−４０〜０）を用いるのが望ましい。また、針葉樹皮の細片３は、伐採した樹木の製材またはチップ加工等の過程で発生する樹皮を粉砕又は裁断して、ふるい分けし、繊維状にしたもので、長さ１００ｍｍ以下のものを用いる。針葉樹皮は、スギやヒノキ又はヒバを用いる。これらはいずれか単独で用いられてもよく、またそれら２種又は３種を混合したものでもよい。砕石２と樹皮細片３との混合の割合は、体積比で砕石に対して樹皮の細片が３０〜４０パーセント程度であることが望ましい。
【００２６】
前記混合物１の上面における隙間には、砕石ダスト又は砕石スクリーニングス若しくは石灰岩ダスト４（以下、砕石ダスト等４という）が充填されている。この砕石ダスト等４は、混合物１の上面隙間を埋めるだけでなく、図に示されているように、混合物１の上面に薄い層を形成することが望ましい。
【００２７】
また、前記砕石ダスト等４が充填、敷き込みされた下地用路盤Ａの表面には、一般的に苦りと称される塩化カルシウム、塩化マグネシウム等の湿潤安定剤（図示せず）を規定量散布するとよい。この湿潤安定剤は、砕石ダスト等４に湿潤を与えることにより、人工芝施工のための安定性を確保することが目的で使用されるものであり、一定時間経過後、溶解する。なお、前記規定量は０．５Ｋｇ／ｍ２程度である。
【実施例２】
【００２８】
実施例２は、本発明に係る人工芝下地用路盤Ａの造成方法に係るものであり、図２はその工程をチャートとして表したものである。この人工芝下地用路盤Ａの造成方法は、最初の工程として路床Ｂの整地、整正から始まる。測量より得られた測量結果や設計図面に基づいて測定杭を設置し、その測定杭に従ってブルドーザー、モーターグレーダー、人力等により施工箇所を整地、整正する。この整地、整正はコンバインドローラー、サイドローラー、タイヤローラーによる転圧作業を行いながら進め、路床Ｂを完成させる。
【００２９】
次に、第２番目の工程として、砕石２と樹皮の細片３とを混合した混合物１を前記路床Ｂに敷設し転圧及び整正する。砕石２と樹皮細片３との混合は、敷き鉄板等の上で行い、他の材料や既存土の混入を防ぎながら混合量を測定し、バックホウ、ペイローダーにて行う。この際、砕石２と樹皮細片３との混合の割合は、体積比で砕石１００に対して樹皮の細片３０〜４０程度である。なお、混合物１は、現場とは異なる場所で製造してもよく、また、第１番目の工程に先行又はそれと並行して作られてもよい。
【００３０】
前記混合物１の路床Ｂへの敷き均しは、まずブルドーザーにより行い、その後、コンバインドローラー、サイドローラー、タイヤローラーによる転圧作業を行いながら、路床Ｂを変形させないように慎重に行い、規定値まで敷き均す。前記規定値は、施工地域の凍上深度により決定され、通常は１００〜１０００ｍｍ程度である。
【００３１】
さらに、第３番目の工程として、前記混合物１上面に前記砕石ダスト等４を敷き込む。これは人工芝施工に当たっての各種作業を容易にするためである。砕石ダスト等４の敷き込みはコンバインドローラー、サイドローラー、タイヤローラーによる転圧作業により行い、混合物１上面の砕石２及び樹皮細片３の間にできた空隙を充填するとともに、表面が平滑になるようにする。
【００３２】
次に、必要な場合には、第４番目の工程として、前記砕石ダスト等４が充填、敷き込みされた下地用路盤Ａの表面に、前記湿潤安定剤を規定量散布する。砕石ダスト等４に湿潤を与えることにより、人工芝施工のための安定性を確保することができる。前記規定量は０．５Ｋｇ／ｍ２程度である。
【００３３】
本発明によれば、砕石に細かく裁断されたスギ、ヒノキ又はヒバの樹皮を混入することにより、衝撃の吸収性に優れた弾性のある人工芝下地用路盤を形成することができ、その路盤の上の人工芝でプレーする運動選手の怪我の発生する確率も減少させることができるとともに、上部の衝撃に対して強い耐久性を発揮することができるため、小型自走機械の走行による人工芝のメンテナンスも可能である。
【００３４】
また、スギ、ヒノキ又はヒバの繊維状の柔らかな樹皮は、砕石の面上に絡みつくとともに、砕石間の空隙をしっかりと埋めることができるため、雨などの浸透水により砕石が移動することがなく、路盤の安定性を確保することができる。すなわち、スギ、ヒノキ又はヒバの樹皮が砕石同士を結びつけるとともに、スギ、ヒノキ又はヒバの樹皮が吸水及び透水するため、砕石間を流れる水の流水速度が緩和され、微小な砕石材の流水に伴う移動や流出を防ぐことができるほか、透水により路盤に含まれる水分の凍結膨張や解凍収縮を防止することが可能となり、構造材料の移動を抑えることができる。さらに、スギ、ヒノキ又はヒバの樹皮は、フィットチンドを始めとする抗菌作用の働きから腐食しにくい性質を持っており、その形状を長く保つことができるため、長期間路盤を安定させることができる。
【００３５】
さらに、スギ、ヒノキ又はヒバの繊維樹皮は透水性に優れているため、水はけのよい人工芝グラウンドを造ることが可能となる。
【００３６】
さらにまた、砕石にスギ、ヒノキ又はヒバの樹皮を混入することにより、砕石を主体としつつも平滑な路盤を形成することができる。
【００３７】
また、全国どの地域にあっても入手可能な砕石を主材料として路盤を形成することが可能となるため、製造コストを抑えることができる。加えて、発生土等を少なく抑えることが可能となるため、環境面へも十分に配慮することができる。
【産業上の利用可能性】
【００３８】
人工芝下地用路盤の他に、例えば駐車場に利用するなど、それ自体を路面として応用することも可能である。
【図面の簡単な説明】
【００３９】
【図１】本発明に係る人工芝下地用路盤及びその路床、人工芝の断面説明図である。
【図２】本発明に係る人工芝下地用路盤の造成方法の工程を示すチャート図である。
【符号の説明】
【００４０】
Ａ    人工芝下地用路盤
Ｂ    路床
Ｃ    人工芝
１    混合物
２    砕石
３    針葉樹皮の細片
４    砕石ダスト、砕石スクリーニングス又は石灰岩ダスト
【図１】
0005166790.tif 000002
【図２】
0005166790.tif 000003